(57)【要約】【課題】外出先で、インターネットを介し、ノートパソコンなどで自宅のテレビを操作し、オンエアー映像、ビデオ映像の閲覧、ビデオ録画の予約・実行、テレビ固有の機能へのアクセス、テレビ専用サイトでのサービスを受けるなどの機能を実現する。【解決手段】テレビ内部にｈｔｔｐサーバー機能を付加し、外部からのインターネット接続に応答できる仕組みを組み込み、ｈｔｍｌ文書やスクリプトなどにより、インターネットを介したテレビ画像の視聴や、制御ができるようにする。【選択図】図１
2006254017.tif 000002
【特許請求の範囲】
【請求項１】
アンテナからの受信映像やビデオ入力映像をＯＳＤと合成した結果を音声とともに符号化／圧縮し、インターネットにリアルタイムに発信することができ、インターネットを介して接続した端末からリモコン制御できるテレビ受像装置。
【請求項２】
インターネット接続可能な端末を限定するための認証方式を持つ請求項１記載のテレビ受像装置。
【請求項３】
テレビ専用サービスへのアクセス機能を持ち、その機能を、インターネットを介して接続された端末から、テレビを制御し、間接的に利用することができる請求項１記載のテレビ受像装置。
【発明の詳細な説明】
【技術分野】
【０００１】
本発明は、インターネット接続機能を有するテレビ受像装置に関するものである。
【背景技術】
【０００２】
近年、テレビ受像装置のデジタル化に伴い、高機能・高付加価値の製品が多く、その中で、インターネット接続機能を有する商品が数多く発売されている。このインターネット接続機能により、ユーザーは、Ｗｅｂページの閲覧、メール交換、カラオケデータダウンロードなどの利用が可能である。さらには、テレビにおいては、自宅で受像したオンエアー放送映像をインターネットに流して、端末で映像を楽しむタイプの製品が出てきている。また、センターで国内のオンエアー放送を海外の有料会員に対してインターネットで配信するサービスも行われている（例えば、特許文献１参照）。
【特許文献１】特開２００３−２７４３８０号公報
【発明の開示】
【発明が解決しようとする課題】
【０００３】
外出先で、インターネットを介し、ノートパソコンなどで自宅のテレビを操作し、オンエアー映像、ビデオ映像の閲覧、ビデオ録画の予約・実行、テレビ固有の機能へのアクセス、テレビ専用サイトでのサービスを受けるなどの機能を実現する。
【課題を解決するための手段】
【０００４】
本発明は、インターネットからのアクセスに対し、テレビ表示映像をＯＳＤと合成して音声とともに符号化圧縮し、配信するとともに、リモコンに似せた制御パネルをパソコン画面に表示させ、これにより、パソコンから、専用リモコン同様の操作を可能とする。これはテレビをＨＴＴＰサーバーとし、テレビ内のＨＴＭＬコンテンツを配信することにより実現可能であり、パソコン側には特別な追加ソフトは不要である。リモコンボタン操作は、テレビに伝えられ、相当する機能が実行される。これは、テレビ側のスクリプトにより実現することが可能である。
【０００５】
また、テレビをＨＴＴＰサーバーとするため、認証によりアクセス端末を制限することも可能である。
【発明の効果】
【０００６】
インターネットを介して、テレビ表示画像を配信し、外部のパソコンなどからテレビを制御・視聴することが可能となる。
【発明を実施するための最良の形態】
【０００７】
本発明は、図１に示すように、自宅内のテレビ（１０１）を外部からパソコンなど（１０２）からインターネットを介して制御、視聴することを可能とし、さらには、テレビ自身の特殊機能（パソコンからはアクセスできないテレビ専用サイトで（１０３）のサービスなど）が間接的に利用可能となる。
【０００８】
（実施の形態１）
図２に、本発明のテレビの構成を示す。アンテナ（２０２）、ビデオ入力（外部入力）（２０１）またはブラウザ（２１０）表示内容をＯＳＤ（２０８）と合成し、テレビ自身の表示装置（２１５）・スピーカー（２１４）に出力する。また、固定ＩＰアドレスが割り当てられ、インターネットからのアクセスと制御があれば、合成された表示用画像をエンコード・圧縮し、ｈｔｔｐまたはストリーミング用プロトコルを介し、インターネットへ配信する。このとき、テレビ本体側の制御が制限されるため、テレビ本体にはネットアクセス中を示すインジケーター（２１６）を点灯させる。
【０００９】
図３は外部からテレビにアクセスしたパソコンなどのブラウザ画面の構成を示す。あらかじめ定められた端末認証の後、テレビの表示内容（３０２）とともに、リモコンに似せた制御パネル（３０１）を表示する。この制御パネルをクリックすることにより、自宅のテレビの操作が可能であり、自宅でテレビを見ているのと同等の機能を利用することができる。
【００１０】
図４はテレビ側ソフトのフローである。インターネットからのアクセスがあったとき（４０１）、テレビは電源状態をＯＮにする（４０２）。その後、認証を求め（４０３）、認証ができたなら（４０４）、インターネットからの制御が可能な状態かどうかをチェックする（４０６）。すでに録画中であったり、視聴中であったりした場合は、その旨を示すパネルをアクセス端末に表示する。ここで、実装によっては、インターネット側に制御を渡すための手続きを定義し、それにしたがってインターネット側に制御を渡すようにしてもよいが、ここでは、説明を簡略化するため、テレビの実体が使用中の場合は接続を切断する（４０５）こととする。
【００１１】
ネットワーク制御可能な状態であれば、テレビ画面のエンコード（４０８）を始め、テレビ画面とリモコンに似せた制御パネルを表示する（４０９）。初期状態では、テレビ画面は、現在選局されている放送局の画面を表示する。ユーザーが制御パネル上のボタンをクリックすると、リモコンの同等ボタンを押したときの動作を行う（４１１）。従って、テレビからビデオを制御し、録画したり、録画済み番組を見たり、テレビのみアクセスを許されるインターネットサービスにアクセスさせ、間接的にこのサービスを利用することもできる。このようなサービスの中には、テレビ１台１台に割り当てられた固有のＩＤを利用し、セキュアな状況の中で個人情報を扱うものも存在する。
【００１２】
パソコン側の制御パネルの電源ボタンをクリックする（４１２）か、ブラウザを閉じることにより、接続を遮断し（４１４）、エンコードを中止する。また、インターネット視聴中に、テレビ本体が、例えば、予約録画実行などで、ネットワークからの制御を受け付けない状態になったときも、接続を遮断し、エンコードを中止する。テレビ側は、自宅で使用中でなければ、リモコン電源オフ状態に移る。
【産業上の利用可能性】
【００１３】
以上のように本発明によれば、外出先から自宅のテレビにインターネットを介してアクセスし、制御・視聴することが可能であり、特に、自宅のテレビ、およびテレビ専用サイトでのサービスを利用して、個人情報管理を行っているような場合、外出先からも自宅のテレビに問い合わせるという利用方法が考えられ、有用である。
【図面の簡単な説明】
【００１４】
【図１】本発明の概略図
【図２】本発明のテレビのブロック図
【図３】本発明のパソコン側ブラウザ画面を示す図
【図４】本発明のテレビ側の概略を示すフローチャート
【符号の説明】
【００１５】
１０１    テレビ
１０２    インターネットアクセス端末（パソコンなど）
１０３    テレビ専用サービスを行うサイト
１０４    インターネット網
２０１    外部ＡＶ入力
２０２    アンテナ
２０３    インターネット接続
２０４    チューナ
２０５    ＴＳデコーダ
２０６    音声デコーダ
２０７    映像デコーダ
２０８    ＯＳＤ
２０９    表示制御部
２１０    ブラウザ
２１１    エンコーダ
２１２    ｈｔｔｐｄなどサーバー機能
２１３    イーサネット（登録商標）
２１４    テレビ本体の表示出力装置
２１５    テレビ本体の音声出力装置（スピーカー）
２１６    ネット制御中インジケーター
３０１    制御パネル
３０２    テレビ映像表示領域
３０３    制御パネル上のリモコンボタン
３０４    テレビ映像の上に重畳されるＯＳＤ
【図１】
2006254017.tif 000003
【図２】
2006254017.tif 000004
【図３】
2006254017.tif 000005
【図４】
2006254017.tif 000006